(57)【要約】【課題】  短管部材同士を容易に締結できる管継手用クランプ部材を提供する。【解決手段】  複数の略円弧状のクランプ片３１，３２，３３を有して、少なくとも一箇所を除く部分で各クランプ片の端部が互いに枢結されたクランプ本体と、このクランプ本体の枢結されていないクランプ片の端部３１ａ，３３ａ同士を締結するための互いに螺合する第１ネジ部材６０及び第２ネジ部材７０とを備えた管継手用クランプ部材３０において、上記第２ネジ部材７０の第１ネジ部材６０に螺合する面と反対側の端面に、ラチェット工具１００が係合可能な穴７２を形成した。【選択図】      図１
0003102808.tif 000002
【実用新案登録請求の範囲】
【請求項１】
食品用配管同士を連結する管継手における、上記食品用配管に接続される双方の短管部材に形成された軸端に向かって拡径するテーパーフランジ部同士をクランプして両短管部材同士を締結する管継手用クランプ部材であって、この管継手用クランプ部材は、複数の略円弧状のクランプ片を有して、少なくとも一箇所を除く部分で各クランプ片の端部が互いに枢結されたクランプ本体と、このクランプ本体の枢結されていないクランプ片の端部同士を締結するための互いに螺合する第１ネジ部材及び第２ネジ部材とを備え、上記クランプ片夫々の内周面側には、上記短管部材に形成された両テーパーフランジ部を挟み込む溝部が周方向に形成されており、上記第１ネジ部材は、上記枢結されていないクランプ片の端部の一方に回動可能に取付けられており、この第１ネジ部材に螺合して、上記枢結されていないクランプ片の端部の他方を上記第１ネジ部材軸方向に押し付ける上記第２ネジ部材に、ラチェット工具が係合可能な穴が形成されていることを特徴とする管継手用クランプ部材。
【請求項２】
上記第２ネジ部材の外形は、レンチによる操作が可能な多角形状になっていることを特徴とする請求項１に記載の管継手用クランプ部材。
【請求項３】
上記第１ネジ部材は、頭部が上記枢結されていないクランプ片の端部の一方に回動可能に取付けられたボルト部材であり、上記第２ネジ部材は、上記ボルト部材に螺合する面と反対側の端面にラチェット工具が係合可能な穴が形成されたナット部材であることを特徴とする請求項１または２に記載の管継手用クランプ部材。
【請求項４】
上記第１ネジ部材は、上記枢結されていないクランプ片の端部の双方を共に挟み込むことが可能な挟持片と、この挟持片を支持するナット部とを備え、上記挟持片が上記一方のクランプ片の端部に回動可能に取付けられており、上記第２ネジ部材は、上記ナット部に螺合するボルト部材であり、その頭端面にラチェット工具が係合可能な穴が形成されていることを特徴とする請求項１または２に記載の管継手用クランプ部材。
【考案の詳細な説明】
【技術分野】
【０００１】
本考案は、食品用配管同士を連結する管継手における、双方の短管部材に形成された軸端に向かって拡径するテーパーフランジ部同士をクランプして両短管部材同士を締結する管継手用クランプ部材に関するものである。
【背景技術】
【０００２】
従来、食品用配管においては、配管内を頻繁に清掃して雑菌の繁殖を抑える等の衛生対策をする必要があるため、この食品用配管同士を連結する管継手としては、配管同士を容易に連結したり切り離したりすることができる作業性の良い管継手が求められていた。そして、このような管継手としては、軸端に向かって拡径するテーパーフランジ部が形成された双方の短管部材と、この両テーパーフランジ部をクランプして両短管部材同士を締結する管継手用クランプ部材とを備えたものがよく知られている。
【０００３】
この管継手における管継手用クランプ部材は、複数の略円弧状のクランプ片を有して、少なくとも一箇所を除く部分で各クランプ片の端部が互いに枢結されたクランプ本体を備えている。そして、このクランプ本体の枢結されていないクランプ片の端部の一方にはボルトが回動可能に取付けられ、このボルトに蝶ナットが螺合されて、この蝶ナットにより上記枢結されていないクランプ片の端部の他方が上記ボルト軸方向に押し付けられて上記枢結されていないクランプ片の端部同士が締結される構造となっている。
【０００４】
また、上記クランプ片夫々の内周面側には、上記短管部材に形成された両テーパーフランジ部を挟み込む溝部が形成されており、上記双方の短管部材のテーパーフランジ部を向かい合わせて、この両テーパーフランジ部に上記溝部を嵌合させた状態で、上記蝶ナットを締め付けることにより、上記クランプ片の端部同士が締結されるとともに、上記溝部が両テーパーフランジ部をクランプして両短管部材同士が締結されるようになっている。
【考案の開示】
【考案が解決しようとする課題】
【０００５】
しかしながら、上記ボルトと蝶ナットとによるクランプ本体の枢結されていないクランプ片の端部同士の締結構造では、手作業で蝶ナットを締め付けたり緩めたりして上記クランプ片の端部同士を締結及び締結解除できるものの、食品用配管では上述した通り配管内を頻繁に清掃する必要があるため、この手作業では管継手数量及び清掃頻度により配管内の清掃にかなりの労力を要していた。
【０００６】
本考案は、このような事情に鑑み、さらに容易に食品用配管同士を連結したり切り離したりすることができるように、クランプ本体の枢結されていないクランプ片の端部同士を容易に締結及び締結解除できる管継手用クランプ部材を提供することを目的とする。
【課題を解決するための手段】
【０００７】
請求項１に係る考案は、食品用配管同士を連結する管継手における、上記食品用配管に接続される双方の短管部材に形成された軸端に向かって拡径するテーパーフランジ部同士をクランプして両短管部材同士を締結する管継手用クランプ部材であって、この管継手用クランプ部材は、複数の略円弧状のクランプ片を有して、少なくとも一箇所を除く部分で各クランプ片の端部が互いに枢結されたクランプ本体と、このクランプ本体の枢結されていないクランプ片の端部同士を締結するための互いに螺合する第１ネジ部材及び第２ネジ部材とを備え、上記クランプ片夫々の内周面側には、上記短管部材に形成された両テーパーフランジ部を挟み込む溝部が周方向に形成されており、上記第１ネジ部材は、上記枢結されていないクランプ片の端部の一方に回動可能に取付けられており、この第１ネジ部材に螺合して、上記枢結されていないクランプ片の端部の他方を上記第１ネジ部材軸方向に押し付ける上記第２ネジ部材に、ラチェット工具が係合可能な穴が形成されているものである。
【０００８】
請求項２に係る考案は、上記請求項１に記載の管継手用クランプ部材において、上記第２ネジ部材の外形は、レンチによる操作が可能な多角形状になっているものである。
【０００９】
請求項３に係る考案は、上記請求項１または２に記載の管継手用クランプ部材において、上記第１ネジ部材は、頭部が上記枢結されていないクランプ片の端部の一方に回動可能に取付けられたボルト部材であり、上記第２ネジ部材は、上記ボルト部材に螺合する面と反対側の端面にラチェット工具が係合可能な穴が形成されたナット部材であるものである。
【００１０】
請求項４に係る考案は、上記請求項１または２に記載の管継手用クランプ部材において、上記第１ネジ部材は、上記枢結されていないクランプ片の端部の双方を共に挟み込むことが可能な挟持片と、この挟持片を支持するナット部とを備え、上記挟持片が上記一方のクランプ片の端部に回動可能に取付けられており、上記第２ネジ部材は、上記ナット部に螺合するボルト部材であり、その頭端面にラチェット工具が係合可能な穴が形成されているものである。
【考案の効果】
【００１１】
請求項１に係る考案によれば、クランプ本体の枢結されていないクランプ片の端部の一方に取付けられている第１ネジ部材に螺合する第２ネジ部材に、ラチェット工具が係合可能な穴が形成されているので、ラチェット工具で第２ネジ部材を締め付けたり緩めたりして容易にクランプ本体の枢結されていないクランプ片の端部同士を締結及び締結解除できる。従って、従来の手作業のような労力を要せず、食品用配管同士を容易に連結したり切り離したりして配管内を清掃することができる。
【００１２】
請求項２に係る考案によれば、上記第２ネジ部材をラチェット工具だけでなくレンチで締め付けたり緩めたりすることができる。
【００１３】
請求項３に係る考案によれば、ナット部材をラチェット工具で締め付けたり緩めたりすることができる。
【００１４】
請求項４に係る考案によれば、ボルト部材をラチェット工具で締め付けたり緩めたりすることができる。
【考案を実施するための最良の形態】
【００１５】
本考案を実施するための最良の形態を図面に基づいて説明する。
【００１６】
まず、本考案の第１実施形態に係る管継手用クランプ部材３０を用いた管継手によって、食品用配管４０，５０同士が連結された状態を図１及び図２に示す。
【００１７】
この管継手は、軸端に向かって拡径するテーパーフランジ部１２，２２が形成された双方の短管部材１０，２０と、これらの短管部材１０，２０の間に介在するパッキン５と、このパッキン５を上記両テーパーフランジ部１２，２２で挟み込んだ状態で、これらのテーパーフランジ部１２，２２同士をクランプする上記管継手用クランプ部材３０とを備えている。また、上記短管部材１０，２０のテーパーフランジ部１２，２２と反対側の軸端側には、それぞれ食品用配管４０，５０が溶接等により接続されている。
【００１８】
上記管継手用クランプ部材３０は、複数（本実施形態では３つ）の略円弧状のクランプ片３１，３２，３３を有して、少なくとも一箇所を除く部分で各クランプ片３１，３２，３３の端部が互いに枢結されたクランプ本体と、このクランプ本体の枢結されていないクランプ片の端部３１ａ，３３ａ同士を締結するための互いに螺合する第１ネジ部材６０及び第２ネジ部材７０とを備えている。
【００１９】
上記クランプ片３１，３２，３３夫々の内周面側には、上記短管部材１０，２０に形成された両テーパーフランジ部１２，２２を挟み込む溝部３６が周方向に形成されている。この溝部３６は、溝の底に向かって溝幅が次第に狭くなっていくように、上記短管部材１０，２０のテーパーフランジ部１２，２２のテーパー形状に沿った左右の側面を有している。
【００２０】
また、上記クランプ本体の枢結されていないクランプ片の端部３１ａ，３３ａは、互いに平行に径方向外側に突出しており、このクランプ片の端部の一方３１ａには、上記第１ネジ部材６０が枢軸３１ｂを支点として径方向に回動可能に取付けられ、上記クランプ片の端部の他方３３ａには、この第１ネジ部材６０を遊嵌するとともに、第１ネジ部材６０が回動可能となるように径方向外側に向かって開口する凹部３１ｂが形成されている。
【００２１】
上記第１ネジ部材６０はボルト部材であり、その頭部が上記枢結されていないクランプ片の端部の一方３１ａに回動可能に取付けられている。
【００２２】
一方、上記第２ネジ部材７０は、上記第１ネジ部材６０に螺合して、上記枢結されていないクランプ片の端部の他方３３ａを上記第１ネジ部材６０の軸方向に押し付けるナット部材である。
【００２３】
この第２ネジ部材７０は軸方向に長手の形状であり、上記第１ネジ部材６０に螺合する側の外形は円形状に、反対側の端部の外形はレンチによる操作が可能な多角形（本実施形態では六角形）状になっている。この第２ネジ部材７０の上記第１ネジ部材６０に螺合する面と反対側の端面には、図３に示すように、略正方形の穴７２が形成されており、この穴７２に市販のラチェット工具１００を係合することができるようになっている。
【００２４】
このような構造の管継手用クランプ部材３０を用いて、食品用配管４０，５０に接続された双方の短管部材１０，２０同士を締結するには、パッキン５を双方の短管部材１０，２０のテーパーフランジ部１２，２２で挟み込んだ状態で、この両テーパーフランジ部１２，２２に上記クランプ本体の溝部３６を嵌合させ、さらに上記枢結されていないクランプ片の端部の一方３１ａに取付けられた第１ネジ部材６０を回動させて、上記枢結されていないクランプ片の端部の他方３３ａに形成された凹部３３ｂに遊嵌させた状態で、この第１ネジ部材６０に第２ネジ部材７０を螺合するとともにラチェット工具１００によって第２ネジ部材７０を締め付けることにより、上記枢結されていないクランプ片の端部３１ａ，３３ａ同士が締結されるとともに、上記溝部３６が両テーパーフランジ部１２，２２をクランプして両短管部材１０，２０同士が締結される。
【００２５】
このように、第２ネジ部材７０にラチェット工具１００が係合可能な穴７２を形成することにより、ラチェット工具１００で第２ネジ部材７０を締め付けたり緩めたりして容易にクランプ本体の枢結されていないクランプ片の端部３１ａ，３３ａ同士を締結及び締結解除できる。従って、従来の手作業のような労力を要せず、食品用配管４０，５０同士を容易に連結したり切り離したりして配管内を清掃することができる。
【００２６】
また、本実施形態のように、第１ネジ部材６０をボルト部材として、第２ネジ部材７０をナット部材とすることにより、ナット部材をラチェット工具１００で締め付けたり緩めたりすることができる。
【００２７】
さらには、上記第２ネジ部材７０の上記第１ネジ部材６０に螺合する側と反対側の端部の外形は、レンチによる操作が可能な多角形状になっているために、この第２ネジ部材７０をラチェット工具１００だけでなくレンチで締め付けたり緩めたりすることができる。
【００２８】
次に、本考案の第２実施形態に係る管継手用クランプ部材３００を用いた管継手によって、食品用配管４０，５０同士が連結された状態を図４及び図５に示す。上記第１実施形態と同一構成部分には同一符号を付して、その説明を省略する。
【００２９】
この管継手用クランプ部材３００は、２つの略円弧状のクランプ片３４，３５がリンク部材３６を介して互いの一方の端部を枢結されたクランプ本体と、このクランプ本体の枢結されていない端部３４ａ，３５ａ同士を締結するための互いに螺合する第１ネジ部材８０及び第２ネジ部材９０とを備えている。
【００３０】
上記クランプ片３４，３５夫々の内周面側には、上記第１実施形態に係る管継手用クランプ部材３０と同様に、短管部材１０，２０に形成された両テーパーフランジ部１２，２２を挟み込む溝部３６が周方向に形成されている。
【００３１】
また、上記クランプ本体の枢結されていないクランプ片の端部３４ａ，３５ａは、互いに平行に径方向外側に突出しており、このクランプ片の端部の一方３４ａには、上記第１ネジ部材８０が枢軸３４ｂを支点として径方向に回動可能に取付けられている。
【００３２】
この第１ネジ部材８０は、上記枢結されていないクランプ片の端部の双方３４ａ，３５ａを共に挟み込むことが可能な挟持片８２と、この挟持片８２を支持するナット部８４とを備え、平面視略コ字状の形状になっている。そして、この挟持片８２の先端部分が上記枢結されていないクランプ片の端部の一方３４ａに取付けられ、この第１ネジ部材８０が回動することにより、上記枢結されていないクランプ片の端部の他方３５ａがこの第１ネジ部材８０の挟持片８２間に挟み込まれるようになっている。
【００３３】
一方、上記第２ネジ部材９０は、上記第１ネジ部材８０に螺合して、上記枢結されていないクランプ片の端部の他方３５ａを上記第１ネジ部材８０の軸方向に押し付けるボルト部材である。
【００３４】
この第２ネジ部材９０の頭部の外形は、レンチによる操作が可能な多角形（本実施形態では六角形）状になっている。また、この第２ネジ部材９０の頭端面には、図６に示すように、略正方形の穴９２が形成されており、この穴９２に市販のラチェット工具１００を係合することができるようになっている。
【００３５】
このような構造の管継手用クランプ部材３００を用いて、食品用配管４０，５０に接続された双方の短管部材１０，２０同士を締結するには、パッキン５を双方の短管部材１０，２０のテーパーフランジ部１２，２２で挟み込んだ状態で、この両テーパーフランジ部１２，２２に上記クランプ本体の溝部３６を嵌合させ、さらに上記枢結されていないクランプ片の端部の一方３４ａに取付けられた第１ネジ部材８０を回動させて、上記枢結されていないクランプ片の端部の他方３５ａをその挟持片８２で挟み込んだ状態で、この第１ネジ部材８０に第２ネジ部材９０を螺合するとともにラチェット工具１００によって第２ネジ部材９０を締め付けることにより、上記枢結されていないクランプ片の端部３４ａ，３５ａ同士が締結されるとともに、上記溝部３６が両テーパーフランジ部１２，２２をクランプして両短管部材１０，２０が締結される。
【００３６】
このように、第１ネジ部材８０を平面視略コ字状としてその底部にナット部８４を設け、このナット部８４に螺合するボルト部材である第２ネジ部材９０の頭端面にラチェット工具１００が係合可能な穴９２を形成することにより、ボルト部材をラチェット工具１００で締め付けたり緩めたりすることができる。
【００３７】
以上第１実施形態及び第２実施形態で説明したように、本考案に係る第１ネジ部材６０，８０及び第２ネジ部材７０，９０は、どちらもボルト部材またはナット部材とすることが可能であり、クランプ本体の枢結されていないクランプ片の端部３１ａ，３３ａ（または３４ａ，３５ａ）同士の締結方法は、それぞれの実施形態で示した締結方法に限らず、例えば第１実施形態に係るクランプ本体に対して、第２実施形態に係るナット部を有する第１ネジ部材８０及びボルト部材である第２ネジ部材９０を採用することも可能である。
【００３８】
さらには、クランプ本体の枢結されていないクランプ片の端部３１ａ，３３ａ（または３４ａ，３５ａ）同士を容易に締結及び締結解除できる本考案の管継手用クランプ部材３０（または３００）を、例えば図７に示すように、パッキンレスの管継手に用いれば、食品用配管４０，５０を容易に切り離して清掃できるとともに、パッキンの清掃や取替え等も省略することができ、配管内の清掃をさらに効果的に行うことができる。
【００３９】
このパッキンレスの管継手を構成する一方の短管部材１０には、テーパーフランジ部１２側の端部に、短管部材１０の内径部を延長するように軸方向に突出した筒状の突出部１４が形成され、この突出部１４の外周端部には、断面が円弧状の丸み部１４ａが全周に渡り形成されている。他方の短管部材２０には、テーパーフランジ部２２側の端部に、上記一方の短管部材１０に形成された突出部１４を遊嵌可能な大径部２４が形成され、この大径部２４の底面には、その径が短管部材２０の内径に向かって深さ方向に連続的に減少するテーパー部２４ａが形成されている。
【００４０】
そして、上記一方の短管部材１０の突出部１４を上記他方の短管部材２０の大径部２４に遊嵌させた状態で、上記両テーパーフランジ部１２，２２を管継手用クランプ部材３０でクランプすることにより、上記突出部１４に形成された丸み部１４ａが上記大径部２４に形成されたテーパー部２４ａに圧接されるため、その接触部分は切れ目のない円形の線接触になり、短管部材１０，２０同士を隙間なく接触させることができ、パッキンを用いなくとも連結された配管内を気密にすることができる。
【００４１】
本考案の管継手用クランプ部材３０（または３００）が、このパッキンレスの管継手に適用される場合でも、管継手用クランプ部材３０（または３００）は、上記第１実施形態または第２実施形態と同様に構成され、第１ネジ部材６０に対して第２ネジ部材７０（または第１ネジ部材８０に対して第２ネジ部材９０）がラチェット工具１００で締結可能とされる。これにより、第２ネジ部材７０（または９０）の操作が簡単になる。
【００４２】
本考案に係る第２ネジ部材７０，９０に形成されたラチェット工具１００が係合可能な穴７２，９２は、第１実施形態及び第２実施形態で示したように、必ずしも略正方形である必要はなく、例えば六角形である等、ラチェット工具１００が係合できる形状であればよい。
【００４３】
また、第２ネジ部材７０，９０の外形は、多角形でなく例えば円形であってもよいが、第１実施形態及び第２実施形態で示したように多角形であることが好ましく、そうすればラチェット工具１００がない場合でもレンチによって操作することが可能である。
【００４４】
その他、本考案の管継手用クランプ部材３０，３００は、その趣旨を逸脱しない範囲で種々の変更が可能である。
【図面の簡単な説明】
【００４５】
【図１】本考案の第１実施形態に係る管継手用クランプ部材を用いた管継手によって、食品用配管同士が連結された状態を示す側面断面図である。
【図２】図１のＩ−Ｉ断面図である。
【図３】上記管継手用クランプ部材のナット部材を示す図であり、（ａ）は側面断面図、（ｂ）は正面図である。
【図４】本考案の第２実施形態に係る管継手用クランプ部材を用いた管継手によって、食品用配管同士が連結された状態を示す側面断面図である。
【図５】図４のＩＩ−ＩＩ断面図である。
【図６】上記管継手用クランプ部材のボルト部材を示す図であり、（ａ）は側面断面図、（ｂ）は正面図である。
【図７】パッキンレスの管継手に本考案の管継手用クランプ部材を用いた形態を示す正面断面図である。
【図８】上記パッキンレスの管継手を構成する短管部材の分解断面図である。
【符号の説明】
【００４６】
１０，２０  短管部材
１２，２２  テーパーフランジ部
３０，３００  管継手用クランプ部材
３１，３２，３３，３４，３５  クランプ片
３１ａ，３３ａ，３４ａ，３５ａ  端部
３６  溝部
４０，５０  食品用配管
６０  第１ネジ部材（ボルト部材）
７０  第２ネジ部材（ナット部材）
７２，９２  穴
８０  第１ネジ部材
８２  挟持片
８４  ナット部
９０  第２ネジ部材（ボルト部材）
１００  ラチェット工具
【図１】
0003102808.tif 000003
【図２】
0003102808.tif 000004
【図３】
0003102808.tif 000005
【図４】
0003102808.tif 000006
【図５】
0003102808.tif 000007
【図６】
0003102808.tif 000008
【図７】
0003102808.tif 000009
【図８】
0003102808.tif 000010